(57)【要約】マルチキャリア通信においてスループットを高めることができる無線通信装置。この無線通信装置において、サブキャリアブロック決定部（２０７）は、通知信号により通知されたフェージング周波数に応じて１サブキャリアブロック当たりのサブキャリアの数を決定する。サブキャリアブロック決定部（２０７）は、フェージング周波数Δｆが大きくなるほど１サブキャリアブロック当たりのサブキャリアの数を大きくする。すなわち、サブキャリアブロック決定部（２０７）は、フェージング周波数Δｆが大きくなるほど１ＯＦＤＭシンボルに含まれるサブキャリアブロックの数を小さくする。ＭＣＳ決定部（２０９）は、通知信号により通知されたＣＱＩに基づいて、サブキャリアブロック毎にＭＣＳレベルを決定する。【特許請求の範囲】
【請求項１】
サブキャリアブロックを構成する複数のサブキャリアからなるマルチキャリア信号を送信するマルチキャリア信号送信側の無線通信装置であって、
フェージング周波数に応じて１サブキャリアブロック当たりのサブキャリアの数を決定する第１決定手段と、
回線品質情報に基づいてサブキャリアブロック毎にＭＣＳレベルを決定する第２決定手段と、
を具備する無線通信装置。
【請求項２】
前記サブキャリアの数および前記ＭＣＳレベルを示す信号を含む前記マルチキャリア信号を送信する送信手段、をさらに具備する、
請求項１記載の無線通信装置。
【請求項３】
前記第１決定手段は、フェージング周波数が大きくなるほど１サブキャリアブロック当たりのサブキャリアの数を大きくする、
請求項１記載の無線通信装置。
【請求項４】
１サブキャリアブロック当たりのサブキャリアの数が大きくなるほど、周波数軸方向の符号化ブロックサイズを大きくするとともに時間軸方向の符号化ブロックサイズを小さくする符号化手段、をさらに具備する、
請求項１記載の無線通信装置。
【請求項５】
複数の回線品質情報と、前記複数の回線品質情報に対応する複数のＭＣＳレベルが設定された複数のテーブル、をさらに具備し、
前記複数のテーブルの各々は、フェージング周波数に応じて、同一の回線品質情報に対して異なるＭＣＳレベルが設定され、
前記第２決定手段は、フェージング周波数に応じて、前記複数のテーブルのいずれか一つを参照してＭＣＳレベルを決定する、
請求項１記載の無線通信装置。
【請求項６】
サブキャリアブロックを構成する複数のサブキャリアからなるマルチキャリア信号を受信するマルチキャリア信号受信側の無線通信装置であって、
前記サブキャリアの数および前記ＭＣＳレベルを示す信号を含む前記マルチキャリア信号を受信する受信手段と、
サブキャリア毎の回線品質を測定する測定手段と、
前記サブキャリアの数に基づいて、前記サブキャリア毎の回線品質をサブキャリアブロック毎に平均してサブキャリアブロック毎の平均値を求める平均化手段と、
前記平均値を含む通知信号を送信する送信手段と、
を具備する無線通信装置。
【請求項７】
請求項１記載の無線通信装置を具備する移動体通信端末装置。
【請求項８】
請求項１記載の無線通信装置を具備する移動体通信基地局装置。
【請求項９】
サブキャリアブロックを構成する複数のサブキャリアからなるマルチキャリア信号を送信する無線通信装置において使用される無線通信方法であって、
フェージング周波数に応じて１サブキャリアブロック当たりのサブキャリアの数を変化させ、
回線品質情報に基づいてサブキャリアブロック毎にＭＣＳレベルを決定する、
無線通信方法。
【発明の詳細な説明】
【技術分野】
【０００１】  本発明は、マルチキャリア通信における無線通信装置および無線通信方法に関する。
【背景技術】
【０００２】  近年、無線通信、特に移動体通信では、音声以外に画像やデータなどの様々な情報が伝送の対象になっている。今後は、多様なコンテンツの伝送に対する需要がますます高くなることが予想されるため、高速な伝送に対する必要性がさらに高まるであろうと予想される。しかしながら、移動体通信において高速伝送を行う場合、マルチパスによる遅延波の影響が無視できなくなり、周波数選択性フェージングにより伝送特性が劣化する。【０００３】  周波数選択性フェージング対策技術の一つとして、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）などのマルチキャリア（ＭＣ）通信が注目されている。マルチキャリア通信は、周波数選択性フェージングが発生しない程度に伝送速度が抑えられた複数の搬送波（サブキャリア）を用いてデータを伝送することにより、結果的に高速伝送を行う技術である。特に、ＯＦＤＭ方式は、データが配置される複数のサブキャリアが相互に直交しているため、マルチキャリア通信の中でも周波数利用効率が高く、また、比較的簡単なハードウエア構成により実現できることから、とりわけ注目されており、様々な検討が行われている。【０００４】  そのような検討の一例として、ＯＦＤＭ伝送において適応変調を行う技術がある（例えば、非特許文献１参照）。また、この適応変調をサブキャリアブロック毎に行う技術についても検討されている。ここで、サブキャリアブロックとは、ＯＦＤＭシンボルを構成する複数のサブキャリアのうち１つ以上のサブキャリアをまとめたものである。【０００５】  以下、サブキャリアブロック毎に適応変調が行われるＯＦＤＭ伝送システムについて説明する。なお、以下の説明では下り回線でＯＦＤＭシンボルが送信される場合について説明する。【０００６】  まず、移動局では、基地局から送信されたパイロット信号のサブキャリアブロック毎の受信ＳＮＲ（Ｓｉｇｎａｌ  ｔｏ  Ｎｏｉｓｅ  Ｒａｔｉｏ）を測定し、これらの受信ＳＮＲを回線品質情報（ＣＱＩ：Ｃｈａｎｎｅｌ  Ｑｕａｌｉｔｙ  Ｉｎｄｉｃａｔｏｒ）として基地局へ報告する。【０００７】  基地局では、移動局から報告されたＣＱＩに基づいてサブキャリアブロック毎のＭＣＳ（Ｍｏｄｕｌａｔｉｏｎ  ａｎｄ  Ｃｏｄｉｎｇ  Ｓｃｈｅｍｅ）レベルを決定し、決定したＭＣＳレベルに従って各サブキャリアのデータを符号化および変調してＯＦＤＭシンボルを生成し、移動局へ送信する。
【非特許文献１】ＩＥＥＥ  Ｔｒａｎｓａｃｔｉｏｎｓ  ｏｎ  Ｖｅｈｉｃｕｌａｒ  Ｔｅｃｈｎｏｌｏｇｙ，Ｖｏｌ．４９，Ｎｏ．５，Ｓｅｐｔｅｍｂｅｒ  ２０００，Ａｄａｐｔｉｖｅ  Ｍｏｄｕｌａｔｉｏｎ  Ｔｅｃｈｎｉｑｕｅｓ  ｆｏｒ  Ｄｕｐｌｅｘ  ＯＦＤＭ  Ｔｒａｎｓｍｉｓｓｉｏｎ
【発明の開示】
【発明が解決しようとする課題】
【０００８】  しかしながら、移動局−基地局間の伝送路におけるフェージング周波数が比較的大きい場合には、移動局でのＳＮＲ測定時と基地局でのＯＦＤＭシンボル送信時とでは回線状態が大きく変化していると考えられ、その結果、基地局において適切なＭＣＳレベルが選択されないことがある。例えば、移動局でのＳＮＲ測定時より基地局でのＯＦＤＭシンボル送信時の方が回線状態が良い場合は、適切なＭＣＳレベルよりも低いＭＣＳレベル（すなわち、適切な伝送レートよりも低い伝送レート）が選択されてしまうため、理想的な状態に比べ伝送速度が低下してしまいスループットが低下する。逆に、移動局でのＳＮＲ測定時より基地局でのＯＦＤＭシンボル送信時の方が回線状態が悪い場合は、適切なＭＣＳレベルよりも高いＭＣＳレベル（すなわち、適切な伝送レートよりも高い伝送レート）が選択されてしまうため、ＯＦＤＭシンボルに誤りが生じる可能性が高くなりスループットが低下してしまう。【０００９】  本発明の目的は、マルチキャリア通信においてスループットを高めることができる無線通信装置および無線通信方法を提供することである。
【課題を解決するための手段】
【００１０】  本発明の無線通信装置は、サブキャリアブロックを構成する複数のサブキャリアからなるマルチキャリア信号を送信するマルチキャリア信号送信側の無線通信装置であって、フェージング周波数に応じて１サブキャリアブロック当たりのサブキャリアの数を決定する第１決定手段と、回線品質情報に基づいてサブキャリアブロック毎にＭＣＳレベルを決定する第２決定手段と、を具備する構成を採る。
【発明の効果】
【００１１】  本発明によれば、マルチキャリア通信においてスループットを高めることができる。
【図面の簡単な説明】
【００１２】
【図１】本発明の実施の形態１に係る無線通信装置（マルチキャリア信号受信側）の構成を示すブロック図
【図２】本発明の実施の形態１に係る無線通信装置（マルチキャリア信号送信側）の構成を示すブロック図
【図３】本発明の実施の形態１に係るサブキャリアブロック決定部の動作説明図
【図４】本発明の実施の形態１に係るサブキャリアブロック決定部の動作説明図（クラスＡの場合）
【図５】本発明の実施の形態１に係るサブキャリアブロック決定部の動作説明図（クラスＢの場合）
【図６】本発明の実施の形態１に係るサブキャリアブロック決定部の動作説明図（クラスＣの場合）
【図７】本発明の実施の形態１に係るサブキャリアブロック決定部の動作説明図（クラスＤの場合）
【図８】本発明の実施の形態１に係るＭＣＳテーブル
【図９】本発明の実施の形態１に係るＣＱＩ通知例
【図１０】本発明の実施の形態１に係るＭＣＳ決定部の動作説明図（クラスＡの場合）
【図１１】本発明の実施の形態１に係るＭＣＳ決定部の動作説明図（クラスＢの場合）
【図１２】本発明の実施の形態１に係るＭＣＳ決定部の動作説明図（クラスＣの場合）
【図１３】本発明の実施の形態１に係るＭＣＳ決定部の動作説明図（クラスＤの場合）
【図１４】本発明の実施の形態１に係る符号化ブロック配置例（クラスＡの場合）
【図１５】本発明の実施の形態１に係る符号化ブロック配置例（クラスＢの場合）
【図１６】本発明の実施の形態１に係る符号化ブロック配置例（クラスＣの場合）
【図１７】本発明の実施の形態１に係る符号化ブロック配置例（クラスＤの場合）
【図１８】本発明の実施の形態２に係るＭＣＳテーブル
【図１９】本発明の実施の形態３に係る無線通信装置（マルチキャリア信号受信側）の構成を示すブロック図
【発明を実施するための最良の形態】
【００１３】  以下、本発明の実施の形態について、図面を参照して詳細に説明する。以下に図示する無線通信装置は、移動体通信システムにおいて使用される基地局装置や端末装置に搭載して使用することができる。下り回線でマルチキャリア信号が伝送される場合には、図１に示す無線通信装置が端末装置に、図２に示す無線通信装置が基地局装置に搭載される。また、上り回線でマルチキャリア信号が伝送される場合には、図１に示す無線通信装置が基地局装置に、図２に示す無線通信装置が端末装置に搭載される。【００１４】  （実施の形態１）
まず、マルチキャリア信号受信側の無線通信装置の構成を図１に示す。【００１５】  図１に示す無線通信装置（マルチキャリア信号受信側）において、受信ＲＦ部１０３はアンテナ１０１を介して受信されたＯＦＤＭシンボル（マルチキャリア信号）に対してダウンコンバート等の所定の無線処理を施してＦＦＴ部１０５に入力する。受信されるＯＦＤＭシンボルには、１サブキャリアブロック当たりのサブキャリアの数およびサブキャリアブロック毎のＭＣＳレベルを示す制御信号が含まれている。【００１６】  ＦＦＴ部１０５は、入力されたＯＦＤＭシンボルに対して高速フーリエ変換（ＦＦＴ）処理を施して、サブキャリア毎の信号をＰ／Ｓ部１０７およびパイロット抽出部１１３に入力する。【００１７】  Ｐ／Ｓ部１０７は、並列に入力されたサブキャリア毎の信号を直列に変換して復調部１０９に入力する。また、Ｐ／Ｓ部１０７は、サブキャリア毎の信号に多重されている制御信号を取り出して復調部１０９および復号化部１１１に入力する。【００１８】  復調部１０９は、制御信号に従ってサブキャリア毎の信号を復調し、復号化部１１１は、制御信号に従ってサブキャリア毎の信号を復号する。これにより、受信データが得られる。【００１９】  パイロット抽出部１１３は、ＦＦＴ後の信号からサブキャリア毎のパイロット信号を抽出して、ＳＮＲ測定部１１５およびフェージング周波数測定部１１７に入力する。【００２０】  ＳＮＲ測定部１１５は、パイロット信号を用いてサブキャリア毎のＳＮＲを測定し、測定したＳＮＲ値を回線品質情報（ＣＱＩ）として通知信号生成部１１９に入力する。【００２１】  フェージング周波数測定部１１７は、パイロット信号を用いて以下の式（１）に従ってフェージング周波数Δｆを測定し、測定したフェージング周波数の値を通知信号生成部１１９に入力する。なお、式（１）において、Ｔはパイロット信号の周期を表し、ｒ（τ）はＯＦＤＭ信号を表す。
【数１】
2006059565.tif 000002
【００２２】  通知信号生成部１１９は、フェージング周波数とサブキャリア毎のＳＮＲとを通知するための通知信号を生成して変調部１２１に入力する。【００２３】  変調部１２１は、通知信号を変調して送信ＲＦ部１２３に入力する。通知信号は、送信ＲＦ部１２３にてアップコンバート等の所定の無線処理を施された後、アンテナ１０１を介して図２に示す無線通信装置へ送信される。【００２４】  次いで、マルチキャリア信号送信側の無線通信装置の構成を図２に示す。【００２５】  図２に示す無線通信装置（マルチキャリア信号送信側）において、受信ＲＦ部２０３はアンテナ２０１を介して受信された通知信号に対してダウンコンバート等の所定の無線処理を施して復調部２０５に入力する。この通知信号には、フェージング周波数の値とサブキャリア毎のＳＮＲ値とが含まれている。【００２６】  復調部２０５は、通知信号を復調してサブキャリアブロック決定部２０７およびＭＣＳ決定部２０９に入力する。【００２７】  サブキャリアブロック決定部２０７は、通知信号により通知されたフェージング周波数に応じて１サブキャリアブロック当たりのサブキャリアの数（ブロックサイズ）を決定する。そして、サブキャリアブロック決定部２０７は、決定したサブキャリアの数をＭＣＳ決定部２０９、制御信号生成部２１１および符号化部２１３に入力する。１サブキャリアブロック当たりのサブキャリアの数のより具体的な決定方法については後述する。【００２８】  ＭＣＳ決定部２０９は、通知信号により通知されたＣＱＩに基づいてサブキャリアブロック毎にＭＣＳレベルを決定し、決定したＭＣＳレベルを制御信号生成部２１１、符号化部２１３および変調部２１５に入力する。ＭＣＳレベルのより具体的な決定方法については後述する。【００２９】  制御信号生成部２１１は、１サブキャリアブロック当たりのサブキャリアの数およびサブキャリアブロック毎のＭＣＳレベルを示す制御信号を生成して多重部２１７に入力する。【００３０】  符号化部２１３は、ＭＣＳ決定部２０９で決定されたＭＣＳレベルの符号化率で送信データを符号化して変調部２１５に入力する。この際、符号化部２１３は、１サブキャリアブロック当たりのサブキャリアの数に応じて符号化ブロックサイズを変化させる。符号化ブロックサイズの具体的制御については後述する。【００３１】  変調部２１５は、符号化後の送信データを、ＭＣＳ決定部２０９で決定されたＭＣＳレベルの変調方式で変調してシンボルを生成し、多重部２１７に入力する。【００３２】  多重部２１７は、変調後のシンボルと制御信号とを多重してＳ／Ｐ部２１９へ入力する。【００３３】  Ｓ／Ｐ部２１９は、多重部２１７から直列に入力される信号を並列に変換してＩＦＦＴ部２２１に入力する。【００３４】  ＩＦＦＴ部２２１は、Ｓ／Ｐ部２１９から入力される信号に対して逆高速フーリエ変換（ＩＦＦＴ）処理を施してＯＦＤＭシンボル（マルチキャリア信号）を生成する。このＯＦＤＭシンボルは、サブキャリアブロックを構成する複数のサブキャリアからなる。【００３５】  そして、制御信号を含むＯＦＤＭシンボルは、送信ＲＦ部２２３でアンプコンバート等の所定の無線処理が施された後、アンテナ２０１を介して��１に示す無線通信装置へ無線送信される。【００３６】  次いで、１サブキャリアブロック当たりのサブキャリアの数の決定方法について説明する。【００３７】  サブキャリアブロック決定部２０７は、図３〜図７に示すように、フェージング周波数Δｆが大きくなるほど１サブキャリアブロック当たりのサブキャリアの数を大きくする。なお、図３〜図７においては、説明を簡単にするために、１ＯＦＤＭシンボルが８サブキャリア（ＳＣ１〜ＳＣ８）からなる例を示す。【００３８】  例えば、図３においてクラスＡ：Δｆ＜５０Ｈｚの場合は、１サブキャリアブロック当たりのサブキャリアの数は１とされ、よって、図４に示すように、ＳＣ１〜ＳＣ８の各々がサブキャリアブロックＢＬ１〜ＢＬ８となり、１ＯＦＤＭシンボルに８つのサブキャリアブロックが含まれることとなる。【００３９】  また、クラスＢ：５０Ｈｚ≦Δｆ＜１００Ｈｚの場合は、１サブキャリアブロック当たりのサブキャリアの数は２とされ、よって、図５に示すように、ＳＣ１およびＳＣ２でＢＬ１を、ＳＣ３およびＳＣ４でＢＬ２を、ＳＣ５およびＳＣ６でＢＬ３を、ＳＣ７およびＳＣ８でＢＬ４を構成し、１ＯＦＤＭシンボルに４つのサブキャリアブロックが含まれることとなる。【００４０】  また、クラスＣ：１００Ｈｚ≦Δｆ＜２００Ｈｚの場合は、１サブキャリアブロック当たりのサブキャリアの数は４とされ、よって、図６に示すように、ＳＣ１〜ＳＣ４でＢＬ１を、ＳＣ５〜ＳＣ８でＢＬ２を構成し、１ＯＦＤＭシンボルに２つのサブキャリアブロックが含まれることとなる。【００４１】  また、クラスＤ：２００Ｈｚ≦Δｆの場合は、１サブキャリアブロック当たりのサブキャリアの数は８とされ、よって、図７に示すように、ＳＣ１〜ＳＣ８でＢＬ１を構成し、１ＯＦＤＭシンボルに１つのサブキャリアブロックが含まれることとなる。【００４２】  このように、サブキャリアブロック決定部２０７は、フェージング周波数に応じて１サブキャリアブロック当たりのサブキャリアの数を変化させ、フェージング周波数が大きくなるほど１サブキャリアブロック当たりのサブキャリアの数を大きくする。すなわち、サブキャリアブロック決定部２０７は、フェージング周波数が大きくなるほど１ＯＦＤＭシンボルに含まれるサブキャリアブロックの数を小さくする。【００４３】  次いで、ＭＣＳレベルの決定方法について説明する。【００４４】  ＭＣＳ決定部２０９は、図８に示すテーブルを有し、このテーブルを参照してサブキャリアブロック毎のＭＣＳレベルを決定する。【００４５】  例えば、サブキャリアＳＣ１〜ＳＣ８について図９に示すような回線品質情報が通知されたとする。そして、フェージング周波数ΔｆがクラスＡの場合は、ＳＣ１〜ＳＣ８の各々がサブキャリアブロックＢＬ１〜ＢＬ８となるため、ＢＬ１〜ＢＬ８の各々に対して図８に示すテーブルが参照されてＳＣ１〜ＳＣ８各々のＭＣＳレベルが図１０に示すように決定される。【００４６】  また、フェージング周波数ΔｆがクラスＢの場合は、ＢＬ１〜ＢＬ４の４つのサブキャリアブロックとなるため、ＢＬ１〜ＢＬ４毎に平均ＳＮＲを求め、各平均ＳＮＲに基づいて図８に示すテーブルを参照してＢＬ１〜ＢＬ４それぞれのＭＣＳレベルが図��１に示すように決定される。【００４７】  また、フェージング周波数ΔｆがクラスＣの場合は、ＢＬ１、ＢＬ２の２つのサブキャリアブロックとなるため、ＢＬ１、ＢＬ２毎に平均ＳＮＲを求め、各平均ＳＮＲに基づいて図８に示すテーブルを参照してＢＬ１、ＢＬ２それぞれのＭＣＳレベルが図１２に示すように決定される。【００４８】  また、フェージング周波数ΔｆがクラスＤの場合は、ＳＣ１〜ＳＣ８で１つのＢＬ１を構成するため、ＳＣ１〜ＳＣ８の全ＳＮＲの平均を求め、この平均ＳＮＲに基づいて図８に示すテーブルが参照されてＳＣ１〜ＳＣ８に対して同一のＭＣＳレベルが図１３に示すように決定される。【００４９】  サブキャリアブロック決定部２０７では、このようにしてサブキャリアブロック毎にＭＣＳレベルが決定され、各サブキャリアブロックに含まれるサブキャリアにはサブキャリアブロック毎に同一のＭＣＳレベルが適用される。【００５０】  このようにフェージング周波数Δｆが大きくなるほど１サブキャリアブロック当たりのサブキャリアの数を大きくする（すなわち、１ＯＦＤＭシンボルに含まれるサブキャリアブロックの数を小さくする）と、フェージングがランダムであることによる大数の法則により、サブキャリアブロックの合成パワーの時間変動が緩やかになり、フェージング変動の影響を緩和することができる。よって、伝送路におけるフェージング周波数が比較的大きく、ＳＮＲ測定時とＯＦＤＭシンボル送信時とで回線状態が大きく変化していると考えられる場合でも、各サブキャリアにおいて適切なＭＣＳレベルが選択される確率が高くなり、その結果、マルチキャリア通信におけるスループットを高めることができる。【００５１】  次いで、図２の符号化部２１３における符号化ブロックサイズの制御の様子を図１４〜図１７に示す。【００５２】  １ＯＦＤＭシンボルに含まれるサブキャリアブロックの数の変化とともに１符号化ブロック当たりのシンボル数も変化してしまうと、サブキャリアブロック数の変化の前後で、符号化ブロックのビット数が異なってしまい誤り率特性が変化してしまう。これでは、適切なＭＣＳレベルを決定することができない。【００５３】  そこで、本実施の形態では、図１４〜図１７に示すように、符号化部２１３では、１ＯＦＤＭシンボルに含まれるサブキャリアブロックの数が小さくなるほど（すなわち、１サブキャリアブロック当たりのサブキャリアの数が大きくなるほど）、周波数軸方向の符号化ブロックサイズを大きくするとともに、時間軸方向の符号化ブロックサイズを小さくする。具体的には、例えばサブキャリアブロックの数が２分の１になるときは、周波数軸方向の符号化ブロックサイズを２倍にするとともに、時間軸方向の符号化ブロックサイズを２分の１にする。このようにすることで、１ＯＦＤＭシンボルに含まれるサブキャリアブロックの数が変化しても、１符号化ブロック当たりのシンボル数（図１４〜図１７では８０シンボル）を一定に保つことができ、適切なＭＣＳレベルを決定することができる。なお、ここではＭＣＳ更新周期を８０ＯＦＤＭシンボル時間とした例を示す。【００５４】  （実施の形態２）
実施の形態２に係るＭＣＳ決定部２０９は、フェージング周波数Δｆに応じて複数のテーブルを有する。すなわち、ＭＣＳ決定部２０９は、クラスＡ，Ｂ，Ｃ用として図８に示すテーブルを有し、クラスＤ用として図１８に示すテーブルを有する。そして、フェージング周波数ΔｆがクラスＡ〜Ｃにある場合は図８に示すテーブルを参照してＭＣＳレベルを決定し、フェージング周波数ΔｆがクラスＤにある場合は図１８に示すテーブルを参照してＭＣＳレベルを決定する。【００５５】  図１８に示すテーブルでは図８に示すテーブルに対して各々のＭＣＳレベルにおいてＳＮＲ：３ｄＢのマージンを持たせている。つまり、図８と図１８とでは、同一のＳＮＲに対して異なるＭＣＳレベルが設定されている。このようにすることにより、クラスＤの場合は、クラスＡ〜Ｃに比べ３ｄＢ大きいＳＮＲのときにクラスＡ〜Ｃと同一のＭＣＳレベルが選択される。換言すれば、同一のＳＮＲでは、クラスＤの場合は、クラスＡ〜Ｃに比べ１つ小さいＭＣＳレベルが選択される。これは、フェージング周波数Δｆが２００Ｈｚ以上となる場合は回線品質が３ｄＢ程度低下するという予測に基づく。【００５６】  このように、ＭＣＳレベル決定の際に参照するテーブルをフェージング周波数の大きさに応じて変更することで、フェージング周波数が大きい場合の回線品質の劣化分をあらかじめ考慮してＭＣＳレベルを決定することができるため、さらに適切なＭＣＳを選択することができる。【００５７】  （実施の形態３）
本実施の形態に係る無線通信装置（マルチキャリア信号受信側）の構成を図１９に示す。図１９に示すように、本実施の形態に係る無線通信装置は、実施の形態１（図１）の構成に加えて平均化部１２５を備える。図１９において図１と同一の構成には同一符号を付して説明を省略する。【００５８】  Ｐ／Ｓ部１０７は、サブキャリア毎の信号に多重されている制御信号を取り出して復調部１０９、復号化部１１１および平均化部１２５に入力する。【００５９】  ＳＮＲ測定部１１５は、パイロット信号を用いてサブキャリア毎のＳＮＲを測定し、測定したＳＮＲ値を平均化部１２５に入力する。【００６０】  平均化部１２５は、制御信号によって示される１サブキャリアブロック当たりのサブキャリアの数に基づいて、サブキャリアブロック毎にＳＮＲ値を平均する。図２に示す無線通信装置へ通知したフェージング周波数ΔｆがクラスＢの場合は、１サブキャリアブロック当たりのサブキャリアの数が２となってＢＬ１〜ＢＬ４の４つのサブキャリアブロックとなるため、ＢＬ１〜ＢＬ４毎に平均ＳＮＲを求める。また、通知したフェージング周波数ΔｆがクラスＣの場合は、１サブキャリアブロック当たりのサブキャリアの数が４となってＢＬ１、ＢＬ２の２つのサブキャリアブロックとなるため、ＢＬ１、ＢＬ２毎に平均ＳＮＲを求める。また、通知したフェージング周波数ΔｆがクラスＤの場合は、１サブキャリアブロック当たりのサブキャリアの数が８となってＳＣ１〜ＳＣ８で１つのＢＬ１を構成するため、ＳＣ１〜ＳＣ８の全ＳＮＲの平均を求める。そして、平均化部１２５は、このようにして求めた平均ＳＮＲを回線品質情報（ＣＱＩ）として通知信号生成部１１９に入力する。なお、通知したフェージング周波数ΔｆがクラスＡの場合は、１サブキャリアブロック当たりのサブキャリアの数が８となってＳＣ１〜ＳＣ８の各々がサブキャリアブロックＢＬ１〜ＢＬ８となるため、平均化部１２５は、ＳＮＲ測定部１１５から入力されたサブキャリア毎のＳＮＲ値をそのまま通知信号生成部１１９に入力する。【００６１】  このようにして、本実施の形態では、回線品質情報を削減して通知信号の量を削減する。【００６２】  なお、上記各実施の形態の説明に用いた各機能ブロックは、典型的には集積回路であるＬＳＩとして実現される。これらは個別に１チップ化されても良いし、一部又は全てを含むように１チップ化されても良い。【００６３】  ここでは、ＬＳＩとしたが、集積度の違いにより、ＩＣ、システムＬＳＩ、スーパーＬＳＩ、ウルトラＬＳＩと呼称されることもある。【００６４】  また、集積回路化の手法はＬＳＩに限るものではなく、専用回路又は汎用プロセッサで実現しても良い。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用しても良い。【００６５】  さらには、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてありえる。【００６６】  本明細書は、２０���４年１１月３０日出願の特願２００４−３４６４８２に基づくものである。この内容はすべてここに含めておく。
【産業上の利用可能性】
【００６７】  本発明は、移動体通信システムにおいて使用される無線通信基地局装置や無線通信端末装置等に好適である。
【図１】
2006059565.tif 000003
【図２】
2006059565.tif 000004
【図３】
2006059565.tif 000005
【図４】
2006059565.tif 000006
【図５】
2006059565.tif 000007
【図６】
2006059565.tif 000008
【図７】
2006059565.tif 000009
【図８】
2006059565.tif 000010
【図９】
2006059565.tif 000011
【図１０】
2006059565.tif 000012
【図１１】
2006059565.tif 000013
【図１２】
2006059565.tif 000014
【図１３】
2006059565.tif 000015
【図１４】
2006059565.tif 000016
【図１５】
2006059565.tif 000017
【図１６】
2006059565.tif 000018
【図１７】
2006059565.tif 000019
【図１８】
2006059565.tif 000020
【図１９】
2006059565.tif 000021
【手続補正書】
【提出日】平成19年8月22日(2007.8.22)
【手続補正１】
【補正対象書類名】特許請求の範囲
【補正対象項目名】全文
【補正方法】変更
【補正の内容】
【特許請求の範囲】
【請求項１】
サブキャリアブロックを構成する複数のサブキャリアからなるマルチキャリア信号を送信するマルチキャリア信号送信側の無線通信装置であって、
フェージング周波数に応じて１サブキャリアブロック当たりのサブキャリアの数を決定する第１決定手段と、
回線品質情報に基づいてサブキャリアブロック毎にＭＣＳレベルを決定する第２決定手段と、
を具備する無線通信装置。
【請求項２】
前記サブキャリアの数および前記ＭＣＳレベルを示す信号を含む前記マルチキャリア信号を送信する送信手段、をさらに具備する、
請求項１記載の無線通信装置。
【請求項３】
前記第１決定手段は、フェージング周波数が大きくなるほど１サブキャリアブロック当たりのサブキャリアの数を大きくする、
請求項１記載の無線通信装置。
【請求項４】
１サブキャリアブロック当たりのサブキャリアの数が大きくなるほど、周波数軸方向の符号化ブロックサイズを大きくするとともに時間軸方向の符号化ブロックサイズを小さくする符号化手段、をさらに具備する、
請求項１記載の無線通信装置。
【請求項５】
複数の回線品質情報と、前記複数の回線品質情報に対応する複数のＭＣＳレベルが設定された複数のテーブル、をさらに具備し、
前記複数のテーブルの各々は、フェージング周波数に応じて、同一の回線品質情報に対して異なるＭＣＳレベルが設定され、
前記第２決定手段は、フェージング周波数に応じて、前記複数のテーブルのいずれか一つを参照してＭＣＳレベルを決定する、
請求項１記載の無線通信装置。
【請求項６】
サブキャリアブロックを構成する複数のサブキャリアからなるマルチキャリア信号を受信するマルチキャリア信号受信側の無線通信装置であって、
前記サブキャリアの数および前記ＭＣＳレベルを示す信号を含む前記マルチキャリア信号を受信する受信手段と、
サブキャリア毎の回線品質を測定する測定手段と、
前記サブキャリアの数に基づいて、前記サブキャリア毎の回線品質をサブキャリアブロック毎に平均してサブキャリアブロック毎の平均値を求める平均化手段と、
前記平均値を含む通知信号を送信する送信手段と、
を具備する無線通信装置。
【請求項７】
請求項１記載の無線通信装置を具備する移動体通信端末装置。
【請求項８】
請求項１記載の無線通信装置を具備する移動体通信基地局装置。
【請求項９】
サブキャリアブロックを構成する複数のサブキャリアからなるマルチキャリア信号を送信する無線通信装置において使用される無線通信方法であって、
フェージング周波数に応じて１サブキャリアブロック当たりのサブキャリアの数を変化させ、
回線品質情報に基づいてサブキャリアブロック毎にＭＣＳレベルを決定する、
無線通信方法。
【手続補正２】
【補正対象書類名】明細書
【補正対象項目名】全文
【補正方法】変更
【補正の内容】
【発明の詳細な説明】
【技術分野】
【０００１】
本発明は、マルチキャリア通信における無線通信装置および無線通信方法に関する。
【背景技術】
【０００２】
近年、無線通信、特に移動体通信では、音声以外に画像やデータなどの様々な情報が伝送の対象になっている。今後は、多様なコンテンツの伝送に対する需要がますます高くなることが予想されるため、高速な伝送に対する必要性がさらに高まるであろうと予想される。しかしながら、移動体通信において高速伝送を行う場合、マルチパスによる遅延波の影響が無視できなくなり、周波数選択性フェージングにより伝送特性が劣化する。
【０００３】
周波数選択性フェージング対策技術の一つとして、ＯＦＤＭ（Orthogonal Frequency Division Multiplexing）などのマルチキャリア（ＭＣ）通信が注目されている。マルチキャリア通信は、周波数選択性フェージングが発生しない程度に伝送速度が抑えられた複数の搬送波（サブキャリア）を用いてデータを伝送することにより、結果的に高速伝送を行う技術である。特に、ＯＦＤＭ方式は、データが配置される複数のサブキャリアが相互に直交しているため、マルチキャリア通信の中でも周波数利用効率が高く、また、比較的簡単なハードウエア構成により実現できることから、とりわけ注目されており、様々な検討が行われている。
【０００４】
そのような検討の一例として、ＯＦＤＭ伝送において適応変調を行う技術がある（例えば、非特許文献１参照）。また、この適応変調をサブキャリアブロック毎に行う技術についても検討されている。ここで、サブキャリアブロックとは、ＯＦＤＭシンボルを構成する複数のサブキャリアのうち１つ以上のサブキャリアをまとめたものである。
【０００５】
以下、サブキャリアブロック毎に適応変調が行われるＯＦＤＭ伝送システムについて説明する。なお、以下の説明では下り回線でＯＦＤＭシンボルが送信される場合について説明する。
【０００６】
まず、移動局では、基地局から送信されたパイロット信号のサブキャリアブロック毎の受信ＳＮＲ（Signal to Noise Ratio）を測定し、これらの受信ＳＮＲを回線品質情報（ＣＱＩ：Channel Quality Indicator）として基地局へ報告する。
【０００７】
基地局では、移動局から報告されたＣＱＩに基づいてサブキャリアブロック毎のＭＣＳ（Modulation and Coding Scheme）レベルを決定し、決定したＭＣＳレベルに従って各サブキャリアのデータを符号化および変調してＯＦＤＭシンボルを生成し、移動局へ送信する。
【非特許文献１】IEEE Transactions on Vehicular Technology, Vol.49, No.5, September 2000, Adaptive Modulation Techniques for Duplex OFDM Transmission
【発明の開示】
【発明が解決しようとする課題】
【０００８】
しかしながら、移動局−基地局間の伝送路におけるフェージング周波数が比較的大きい場合には、移動局でのＳＮＲ測定時と基地局でのＯＦＤＭシンボル送信時とでは回線状態が大きく変化していると考えられ、その結果、基地局において適切なＭＣＳレベルが選択されないことがある。例えば、移動局でのＳＮＲ測定時より基地局でのＯＦＤＭシンボル送信時の方が回線状態が良い場合は、適切なＭＣＳレベルよりも低いＭＣＳレベル（すなわち、適切な伝送レートよりも低い伝送レート）が選択されてしまうため、理想的な状態
に比べ伝送速度が低下してしまいスループットが低下する。逆に、移動局でのＳＮＲ測定時より基地局でのＯＦＤＭシンボル送信時の方が回線状態が悪い場合は、適切なＭＣＳレベルよりも高いＭＣＳレベル（すなわち、適切な伝送レートよりも高い伝送レート）が選択されてしまうため、ＯＦＤＭシンボルに誤りが生じる可能性が高くなりスループットが低下してしまう。
【０００９】
本発明の目的は、マルチキャリア通信においてスループットを高めることができる無線通信装置および無線通信方法を提供することである。
【課題を解決するための手段】
【００１０】
本発明の無線通信装置は、サブキャリアブロックを構成する複数のサブキャリアからなるマルチキャリア信号を送信するマルチキャリア信号送信側の無線通信装置であって、フェージング周波数に応じて１サブキャリアブロック当たりのサブキャリアの数を決定する第１決定手段と、回線品質情報に基づいてサブキャリアブロック毎にＭＣＳレベルを決定する第２決定手段と、を具備する構成を採る。
【発明の効果】
【００１１】
本発明によれば、マルチキャリア通信においてスループットを高めることができる。
【発明を実施するための最良の形態】
【００１２】
以下、本発明の実施の形態について、図面を参照して詳細に説明する。以下に図示する無線通信装置は、移動体通信システムにおいて使用される基地局装置や端末装置に搭載し
て使用することができる。下り回線でマルチキャリア信号が伝送される場合には、図１に示す無線通信装置が端末装置に、図２に示す無線通信装置が基地局装置に搭載される。また、上り回線でマルチキャリア信号が伝送される場合には、図１に示す無線通信装置が基地局装置に、図２に示す無線通信装置が端末装置に搭載される。
【００１３】
（実施の形態１）
まず、マルチキャリア信号受信側の無線通信装置の構成を図１に示す。
【００１４】
図１に示す無線通信装置（マルチキャリア信号受信側）において、受信ＲＦ部１０３はアンテナ１０１を介して受信されたＯＦＤＭシンボル（マルチキャリア信号）に対してダウンコンバート等の所定の無線処理を施してＦＦＴ部１０５に入力する。受信されるＯＦＤＭシンボルには、１サブキャリアブロック当たりのサブキャリアの数およびサブキャリアブロック毎のＭＣＳレベルを示す制御信号が含まれている。
【００１５】
ＦＦＴ部１０５は、入力されたＯＦＤＭシンボルに対して高速フーリエ変換（ＦＦＴ）処理を施して、サブキャリア毎の信号をＰ／Ｓ部１０７およびパイロット抽出部１１３に入力する。
【００１６】
Ｐ／Ｓ部１０７は、並列に入力されたサブキャリア毎の信号を直列に変換して復調部１０９に入力する。また、Ｐ／Ｓ部１０７は、サブキャリア毎の信号に多重されている制御信号を取り出して復調部１０９および復号化部１１１に入力する。
【００１７】
復調部１０９は、制御信号に従ってサブキャリア毎の信号を復調し、復号化部１１１は、制御信号に従ってサブキャリア毎の信号を復号する。これにより、受信データが得られる。
【００１８】
パイロット抽出部１１３は、ＦＦＴ後の信号からサブキャリア毎のパイロット信号を抽出して、ＳＮＲ測定部１１５およびフェージング周波数測定部１１７に入力する。
【００１９】
ＳＮＲ測定部１１５は、パイロット信号を用いてサブキャリア毎のＳＮＲを測定し、測定したＳＮＲ値を回線品質情報（ＣＱＩ）として通知信号生成部１１９に入力する。
【００２０】
フェージング周波数測定部１１７は、パイロット信号を用いて以下の式（１）に従ってフェージング周波数Δｆを測定し、測定したフェージング周波数の値を通知信号生成部１１９に入力する。なお、式（１）において、Ｔはパイロット信号の周期を表し、ｒ（τ）はＯＦＤＭ信号を表す。
【数１】
2006059565.tif 000022
【００２１】
通知信号生成部１１９は、フェージング周波数とサブキャリア毎のＳＮＲとを通知するための通知信号を生成して変調部１２１に入力する。
【００２２】
変調部１２１は、通知信号を変調して送信ＲＦ部１２３に入力する。通知信号は、送信ＲＦ部１２３にてアップコンバート等の所定の無線処理を施された後、アンテナ１０１を
介して図２に示す無線通信装置へ送信される。
【００２３】
次いで、マルチキャリア信号送信側の無線通信装置の構成を図２に示す。
【００２４】
図２に示す無線通信装置（マルチキャリア信号送信側）において、受信ＲＦ部２０３はアンテナ２０１を介して受信された通知信号に対してダウンコンバート等の所定の無線処理を施して復調部２０５に入力する。この通知信号には、フェージング周波数の値とサブキャリア毎のＳＮＲ値とが含まれている。
【００２５】
復調部２０５は、通知信号を復調してサブキャリアブロック決定部２０７およびＭＣＳ決定部２０９に入力する。
【００２６】
サブキャリアブロック決定部２０７は、通知信号により通知されたフェージング周波数に応じて１サブキャリアブロック当たりのサブキャリアの数（ブロックサイズ）を決定する。そして、サブキャリアブロック決定部２０７は、決定したサブキャリアの数をＭＣＳ決定部２０９、制御信号生成部２１１および符号化部２１３に入力する。１サブキャリアブロック当たりのサブキャリアの数のより具体的な決定方法については後述する。
【００２７】
ＭＣＳ決定部２０９は、通知信号により通知されたＣＱＩに基づいてサブキャリアブロック毎にＭＣＳレベルを決定し、決定したＭＣＳレベルを制御信号生成部２１１、符号化部２１３および変調部２１５に入力する。ＭＣＳレベルのより具体的な決定方法については後述する。
【００２８】
制御信号生成部２１１は、１サブキャリアブロック当たりのサブキャリアの数およびサブキャリアブロック毎のＭＣＳレベルを示す制御信号を生成して多重部２１７に入力する。
【００２９】
符号化部２１３は、ＭＣＳ決定部２０９で決定されたＭＣＳレベルの符号化率で送信データを符号化して変調部２１５に入力する。この際、符号化部２１３は、１サブキャリアブロック当たりのサブキャリアの数に応じて符号化ブロックサイズを変化させる。符号化ブロックサイズの具体的制御については後述する。
【００３０】
変調部２１５は、符号化後の送信データを、ＭＣＳ決定部２０９で決定されたＭＣＳレベルの変調方式で変調してシンボルを生成し、多重部２１７に入力する。
【００３１】
多重部２１７は、変調後のシンボルと制御信号とを多重してＳ／Ｐ部２１９へ入力する。
【００３２】
Ｓ／Ｐ部２１９は、多重部２１７から直列に入力される信号を並列に変換してＩＦＦＴ部２２１に入力する。
【００３３】
ＩＦＦＴ部２２１は、Ｓ／Ｐ部２１９から入力される信号に対して逆高速フーリエ変換（ＩＦＦＴ）処理を施してＯＦＤＭシンボル（マルチキャリア信号）を生成する。このＯＦＤＭシンボルは、サブキャリアブロックを構成する複数のサブキャリアからなる。
【００３４】
そして、制御信号を含むＯＦＤＭシンボルは、送信ＲＦ部２２３でアンプコンバート等の所定の無線処理が施された後、アンテナ２０１を介して図１に示す無線通信装置へ無線送信される。
【００３５】
次いで、１サブキャリアブロック当たりのサブキャリアの数の決定方法について説明す
る。
【００３６】
サブキャリアブロック決定部２０７は、図３〜図７に示すように、フェージング周波数Δｆが大きくなるほど１サブキャリアブロック当たりのサブキャリアの数を大きくする。なお、図３〜図７においては、説明を簡単にするために、１ＯＦＤＭシンボルが８サブキャリア（ＳＣ１〜ＳＣ８）からなる例を示す。
【００３７】
例えば、図３においてクラスＡ：Δｆ＜５０Ｈｚの場合は、１サブキャリアブロック当たりのサブキャリアの数は１とされ、よって、図４に示すように、ＳＣ１〜ＳＣ８の各々がサブキャリアブロックＢＬ１〜ＢＬ８となり、１ＯＦＤＭシンボルに８つのサブキャリアブロックが含まれることとなる。
【００３８】
また、クラスＢ：５０Ｈｚ≦Δｆ＜１００Ｈｚの場合は、１サブキャリアブロック当たりのサブキャリアの数は２とされ、よって、図５に示すように、ＳＣ１およびＳＣ２でＢＬ１を、ＳＣ３およびＳＣ４でＢＬ２を、ＳＣ５およびＳＣ６でＢＬ３を、ＳＣ７およびＳＣ８でＢＬ４を構成し、１ＯＦＤＭシンボルに４つのサブキャリアブロックが含まれることとなる。
【００３９】
また、クラスＣ：１００Ｈｚ≦Δｆ＜２００Ｈｚの場合は、１サブキャリアブロック当たりのサブキャリアの数は４とされ、よって、図６に示すように、ＳＣ１〜ＳＣ４でＢＬ１を、ＳＣ５〜ＳＣ８でＢＬ２を構成し、１ＯＦＤＭシンボルに２つのサブキャリアブロックが含まれることとなる。
【００４０】
また、クラスＤ：２００Ｈｚ≦Δｆの場合は、１サブキャリアブロック当たりのサブキャリアの数は８とされ、よって、図７に示すように、ＳＣ１〜ＳＣ８でＢＬ１を構成し、１ＯＦＤＭシンボルに１つのサブキャリアブロックが含まれることとなる。
【００４１】
このように、サブキャリアブロック決定部２０７は、フェージング周波数に応じて１サブキャリアブロック当たりのサブキャリアの数を変化させ、フェージング周波数が大きくなるほど１サブキャリアブロック当たりのサブキャリアの数を大きくする。すなわち、サブキャリアブロック決定部２０７は、フェージング周波数が大きくなるほど１ＯＦＤＭシンボルに含まれるサブキャリアブロックの数を小さくする。
【００４２】
次いで、ＭＣＳレベルの決定方法について説明する。
【００４３】
ＭＣＳ決定部２０９は、図８に示すテーブルを有し、このテーブルを参照してサブキャリアブロック毎のＭＣＳレベルを決定する。
【００４４】
例えば、サブキャリアＳＣ１〜ＳＣ８について図９に示すような回線品質情報が通知されたとする。そして、フェージング周波数ΔｆがクラスＡの場合は、ＳＣ１〜ＳＣ８の各々がサブキャリアブロックＢＬ１〜ＢＬ８となるため、ＢＬ１〜ＢＬ８の各々に対して図８に示すテーブルが参照されてＳＣ１〜ＳＣ８各々のＭＣＳレベルが図１０に示すように決定される。
【００４５】
また、フェージング周波数ΔｆがクラスＢの場合は、ＢＬ１〜ＢＬ４の４つのサブキャリアブロックとなるため、ＢＬ１〜ＢＬ４毎に平均ＳＮＲを求め、各平均ＳＮＲに基づいて図８に示すテーブルを参照してＢＬ１〜ＢＬ４それぞれのＭＣＳレベルが図１１に示すように決定される。
【００４６】
また、フェージング周波数ΔｆがクラスＣの場合は、ＢＬ１、ＢＬ２の２つのサブキャ
リアブロックとなるため、ＢＬ１、ＢＬ２毎に平均ＳＮＲを求め、各平均ＳＮＲに基づいて図８に示すテーブルを参照してＢＬ１、ＢＬ２それぞれのＭＣＳレベルが図１２に示すように決定される。
【００４７】
また、フェージング周波数ΔｆがクラスＤの場合は、ＳＣ１〜ＳＣ８で１つのＢＬ１を構成するため、ＳＣ１〜ＳＣ８の全ＳＮＲの平均を求め、この平均ＳＮＲに基づいて図８に示すテーブルが参照されてＳＣ１〜ＳＣ８に対して同一のＭＣＳレベルが図１３に示すように決定される。
【００４８】
サブキャリアブロック決定部２０７では、このようにしてサブキャリアブロック毎にＭＣＳレベルが決定され、各サブキャリアブロックに含まれるサブキャリアにはサブキャリアブロック毎に同一のＭＣＳレベルが適用される。
【００４９】
このようにフェージング周波数Δｆが大きくなるほど１サブキャリアブロック当たりのサブキャリアの数を大きくする（すなわち、１ＯＦＤＭシンボルに含まれるサブキャリアブロックの数を小さくする）と、フェージングがランダムであることによる大数の法則により、サブキャリアブロックの合成パワーの時間変動が緩やかになり、フェージング変動の影響を緩和することができる。よって、伝送路におけるフェージング周波数が比較的大きく、ＳＮＲ測定時とＯＦＤＭシンボル送信時とで回線状態が大きく変化していると考えられる場合でも、各サブキャリアにおいて適切なＭＣＳレベルが選択される確率が高くなり、その結果、マルチキャリア通信におけるスループットを高めることができる。
【００５０】
次いで、図２の符号化部２１３における符号化ブロックサイズの制御の様子を図１４〜図１７に示す。
【００５１】
１ＯＦＤＭシンボルに含まれるサブキャリアブロックの数の変化とともに１符号化ブロック当たりのシンボル数も変化してしまうと、サブキャリアブロック数の変化の前後で、符号化ブロックのビット数が異なってしまい誤り率特性が変化してしまう。これでは、適切なＭＣＳレベルを決定することができない。
【００５２】
そこで、本実施の形態では、図１４〜図１７に示すように、符号化部２１３では、１ＯＦＤＭシンボルに含まれるサブキャリアブロックの数が小さくなるほど（すなわち、１サブキャリアブロック当たりのサブキャリアの数が大きくなるほど）、周波数軸方向の符号化ブロックサイズを大きくするとともに、時間軸方向の符号化ブロックサイズを小さくする。具体的には、例えばサブキャリアブロックの数が２分の１になるときは、周波数軸方向の符号化ブロックサイズを２倍にするとともに、時間軸方向の符号化ブロックサイズを２分の１にする。このようにすることで、１ＯＦＤＭシンボルに含まれるサブキャリアブロックの数が変化しても、１符号化ブロック当たりのシンボル数（図１４〜図１７では８０シンボル）を一定に保つことができ、適切なＭＣＳレベルを決定することができる。なお、ここではＭＣＳ更新周期を８０ＯＦＤＭシンボル時間とした例を示す。
【００５３】
（実施の形態２）
実施の形態２に係るＭＣＳ決定部２０９は、フェージング周波数Δｆに応じて複数のテーブルを有する。すなわち、ＭＣＳ決定部２０９は、クラスＡ，Ｂ，Ｃ用として図８に示すテーブルを有し、クラスＤ用として図１８に示すテーブルを有する。そして、フェージング周波数ΔｆがクラスＡ〜Ｃにある場合は図８に示すテーブルを参照してＭＣＳレベルを決定し、フェージング周波数ΔｆがクラスＤにある場合は図１８に示すテーブルを参照してＭＣＳレベルを決定する。
【００５４】
図１８に示すテーブルでは図８に示すテーブルに対して各々のＭＣＳレベルにおいてＳ
ＮＲ：３ｄＢのマージンを持たせている。つまり、図８と図１８とでは、同一のＳＮＲに対して異なるＭＣＳレベルが設定されている。このようにすることにより、クラスＤの場合は、クラスＡ〜Ｃに比べ３ｄＢ大きいＳＮＲのときにクラスＡ〜Ｃと同一のＭＣＳレベルが選択される。換言すれば、同一のＳＮＲでは、クラスＤの場合は、クラスＡ〜Ｃに比べ１つ小さいＭＣＳレベルが選択される。これは、フェージング周波数Δｆが２００Ｈｚ以上となる場合は回線品質が３ｄＢ程度低下するという予測に基づく。
【００５５】
このように、ＭＣＳレベル決定の際に参照するテーブルをフェージング周波数の大きさに応じて変更することで、フェージング周波数が大きい場合の回線品質の劣化分をあらかじめ考慮してＭＣＳレベルを決定することができるため、さらに適切なＭＣＳを選択することができる。
【００５６】
（実施の形態３）
本実施の形態に係る無線通信装置（マルチキャリア信号受信側）の構成を図１９に示す。図１９に示すように、本実施の形態に係る無線通信装置は、実施の形態１（図１）の構成に加えて平均化部１２５を備える。図１９において図１と同一の構成には同一符号を付して説明を省略する。
【００５７】
Ｐ／Ｓ部１０７は、サブキャリア毎の信号に多重されている制御信号を取り出して復調部１０９、復号化部１１１および平均化部１２５に入力する。
【００５８】
ＳＮＲ測定部１１５は、パイロット信号を用いてサブキャリア毎のＳＮＲを測定し、測定したＳＮＲ値を平均化部１２５に入力する。
【００５９】
平均化部１２５は、制御信号によって示される１サブキャリアブロック当たりのサブキャリアの数に基づいて、サブキャリアブロック毎にＳＮＲ値を平均する。図２に示す無線通信装置へ通知したフェージング周波数ΔｆがクラスＢの場合は、１サブキャリアブロック当たりのサブキャリアの数が２となってＢＬ１〜ＢＬ４の４つのサブキャリアブロックとなるため、ＢＬ１〜ＢＬ４毎に平均ＳＮＲを求める。また、通知したフェージング周波数ΔｆがクラスＣの場合は、１サブキャリアブロック当たりのサブキャリアの数が４となってＢＬ１、ＢＬ２の２つのサブキャリアブロックとなるため、ＢＬ１、ＢＬ２毎に平均ＳＮＲを求める。また、通知したフェージング周波数ΔｆがクラスＤの場合は、１サブキャリアブロック当たりのサブキャリアの数が８となってＳＣ１〜ＳＣ８で１つのＢＬ１を構成するため、ＳＣ１〜ＳＣ８の全ＳＮＲの平均を求める。そして、平均化部１２５は、このようにして求めた平均ＳＮＲを回線品質情報（ＣＱＩ）として通知信号生成部１１９に入力する。なお、通知したフェージング周波数ΔｆがクラスＡの場合は、１サブキャリアブロック当たりのサブキャリアの数が８となってＳＣ１〜ＳＣ８の各々がサブキャリアブロックＢＬ１〜ＢＬ８となるため、平均化部１２５は、ＳＮＲ測定部１１５から入力されたサブキャリア毎のＳＮＲ値をそのまま通知信号生成部１１９に入力する。
【００６０】
このようにして、本実施の形態では、回線品質情報を削減して通知信号の量を削減する。
【００６１】
なお、上記各実施の形態の説明に用いた各機能ブロックは、典型的には集積回路であるＬＳＩとして実現される。これらは個別に１チップ化されても良いし、一部又は全てを含むように１チップ化されても良い。
【００６２】
ここでは、ＬＳＩとしたが、集積度の違いにより、ＩＣ、システムＬＳＩ、スーパーＬＳＩ、ウルトラＬＳＩと呼称されることもある。
【００６３】
また、集積回路化の手法はＬＳＩに限るものではなく、専用回路又は汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用しても良い。
【００６４】
さらには、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてありえる。
【００６５】
本明細書は、２００４年１１月３０日出願の特願２００４−３４６４８２に基づくものである。この内容はすべてここに含めておく。
【産業上の利用可能性】
【００６６】
本発明は、移動体通信システムにおいて使用される無線通信基地局装置や無線通信端末装置等に好適である。
【図面の簡単な説明】
【００６７】
【図１】本発明の実施の形態１に係る無線通信装置（マルチキャリア信号受信側）の構成を示すブロック図
【図２】本発明の実施の形態１に係る無線通信装置（マルチキャリア信号送信側）の構成を示すブロック図
【図３】本発明の実施の形態１に係るサブキャリアブロック決定部の動作説明図
【図４】本発明の実施の形態１に係るサブキャリアブロック決定部の動作説明図（クラスＡの場合）
【図５】本発明の実施の形態１に係るサブキャリアブロック決定部の動作説明図（クラスＢの場合）
【図６】本発明の実施の形態１に係るサブキャリアブロック決定部の動作説明図（クラスＣの場合）
【図７】本発明の実施の形態１に係るサブキャリアブロック決定部の動作説明図（クラスＤの場合）
【図８】本発明の実施の形態１に係るＭＣＳテーブル
【図９】本発明の実施の形態１に係るＣＱＩ通知例
【図１０】本発明の実施の形態１に係るＭＣＳ決定部の動作説明図（クラスＡの場合）
【図１１】本発明の実施の形態１に係るＭＣＳ決定部の動作説明図（クラスＢの場合）
【図１２】本発明の実施の形態１に係るＭＣＳ決定部の動作説明図（クラスＣの場合）
【図１３】本発明の実施の形態１に係るＭＣＳ決定部の動作説明図（クラスＤの場合）
【図１４】本発明の実施の形態１に係る符号化ブロック配置例（クラスＡの場合）
【図１５】本発明の実施の形態１に係る符号化ブロック配置例（クラスＢの場合）
【図１６】本発明の実施の形態１に係る符号化ブロック配置例（クラスＣの場合）
【図１７】本発明の実施の形態１に係る符号化ブロック配置例（クラスＤの場合）
【図１８】本発明の実施の形態２に係るＭＣＳテーブル
【図１９】本発明の実施の形態３に係る無線通信装置（マルチキャリア信号受信側）の構成を示すブロック図
【手続補正３】
【補正対象書類名】図面
【補正対象項目名】全図
【補正方法】変更
【補正の内容】
【図１】
2006059565.tif 000023
【図２】
2006059565.tif 000024
【図３】
2006059565.tif 000025
【図４】
2006059565.tif 000026
【図５】
2006059565.tif 000027
【図６】
2006059565.tif 000028
【図７】
2006059565.tif 000029
【図８】
2006059565.tif 000030
【図９】
2006059565.tif 000031
【図１０】
2006059565.tif 000032
【図１１】
2006059565.tif 000033
【図１２】
2006059565.tif 000034
【図１３】
2006059565.tif 000035
【図１４】
2006059565.tif 000036
【図１５】
2006059565.tif 000037
【図１６】
2006059565.tif 000038
【図１７】
2006059565.tif 000039
【図１８】
2006059565.tif 000040
【図１９】
2006059565.tif 000041
【国際調査報告】
2006059565.tif 000042
2006059565.tif 000043
2006059565.tif 000044
2006059565.tif 000045